(57)【要約】【課題】各地点における水圧又は流量データの時間変動を容易に把握できるとともに、多数地点における水圧又は流量データを容易に比較できる水圧及び流量データ表示システムを提供する。【解決手段】水圧又は流量の測定データＡを加工し、時系列表示用データＢを作成する時系列表示用データ作成手段２と、時系列表示用データＢを記憶する時系列表示用データベース３と、時系列表示用データベース３から時系列表示用データＢを取得し、地理情報システム（ＧＩＳ）によって時系列表示用データＢを地図上に表示する水圧及び流量データ表示手段４とから水圧及び流量データ表示システム１を構成する。【選択図】              図１
2004245611.tif 000002
【特許請求の範囲】
【請求項１】
水圧又は流量の測定データを加工し、時系列表示用データを作成する時系列表示用データ作成手段と、時系列表示用データを記憶する時系列表示用データベースと、時系列表示用データベースから時系列表示用データを取得し、地理情報システム（ＧＩＳ）によって時系列表示用データを地図上に表示する水圧及び流量データ表示手段とから構成される水圧及び流量データ表示システム。
【請求項２】
前記時系列表示用データ作成手段は、水圧又は流量の測定データを加工し、多地点間で比較できるようにするために、抽出期間を一致させるとともに、測定データを圧縮して、時系列表示用データを作成することを特徴とする請求項１に記載の水圧及び流量データ表示システム。
【請求項３】
前記水圧及び流量データ表示手段は、各水圧測定地点において、水圧データ値を色彩が付された所定形状の印によって表示することを特徴とする請求項１又は２に記載の水圧及び流量データ表示システム。
【請求項４】
前記水圧及び流量データ表示手段は、表示期間内における最大値、最小値、表示時間における流量データ値を表示した、各流量測定地点における流量グラフを表示することを特徴とする請求項１乃至３に記載の水圧及び流量データ表示システム。
【発明の詳細な説明】
【０００１】
【発明の属する技術分野】
本発明は、水道管路施設の現況把握、状況分析等を効率的に行うことができるように、各地点で測定された水圧及び流量データを効果的に表示できるようにした水圧及び流量データ表示システムに関する。
【０００２】
【従来の技術】
水道管路施設の現況を把握し、状況を分析する上で、各地点における水圧及び流量は極めて重要なデータである。
従来、各地点で測定された水圧及び流量データは、所定時間毎にデータをプロットし、各地点における水圧又は流量の時系列グラフとして表示した（例えば、特許文献１参照）。又、所定時間内の最大値、最小値、平均値、変動幅等を抽出し、所定時刻における水圧又は流量の分布図として表示した。
【０００３】
【特許文献１】
特開平９−２１７９００
【０００４】
【発明が解決しようとする課題】
しかし、水圧又は流量の時系列グラフにあっては、各地点における水圧又は流量データの時間変動を把握するのは容易であるが、各地点の位置関係が明確に把握できず、多数地点における水圧又は流量データを比較するのは容易ではなかった。又、水圧又は流量の分布図にあっては、各地点の位置関係は明確に把握できるが、各地点における水圧又は流量データの時間変動を把握するのは容易ではなかった。
【０００５】
本発明は、かかる従来の問題点に鑑みて為されたものであり、その目的とするところは、水圧及び流量データを表示するに際して、水圧又は流量データの時間変動を容易に把握できるようにするとともに、各地点の位置関係を明確に把握でき、しかも、多数地点における水圧又は流量データを容易に比較できるようにした水圧及び流量データ表示システムを提供することにある。
【０００６】
【課題を解決するための手段】
上記目的を達成するために、本発明は、水圧又は流量の測定データを加工し、時系列表示用データを作成する時系列表示用データ作成手段と、時系列表示用データを記憶する時系列表示用データベースと、時系列表示用データベースから時系列表示用データを取得し、地理情報システム（ＧＩＳ）によって時系列表示用データを地図上に表示する水圧及び流量データ表示手段とから水圧及び流量データ表示システムを構成したものである。
【０００７】
前記時系列表示用データ作成手段は、水圧又は流量の測定データを加工し、多地点間で比較できるようにするために、抽出期間を一致させるとともに、測定データを圧縮して、時系列表示用データを作成することを特徴とする。
【０００８】
前記水圧及び流量データ表示手段は、各水圧測定地点において、水圧データ値を色彩が付された所定形状の印によって表示することを特徴とする。
又、表示期間内における最大値、最小値、表示時間における流量データ値を表示した、各流量測定地点における流量グラフを表示することを特徴とする。
【０００９】
【発明の実施の形態】
以下、本発明の水圧及び流量データ表示システムの好適な実施形態について、図面を参照して詳細に説明する。
【００１０】
本発明の水圧及び流量データ表示システム１は、図１に示す通り、水圧又は流量の測定データＡを加工し、時系列表示用データＢを作成する時系列表示用データ作成手段２と、時系列表示用データＢを記憶する時系列表示用データベース３と、時系列表示用データベース３から時系列表示用データＢを取得し、地理情報システム（ＧＩＳ）によって時系列表示用データＢを地図上に表示する水圧及び流量データ表示手段４とから構成される。
【００１１】
水圧又は流量は、水道管路施設の各地点において、適宜測定装置によって測定され、デジタル式記録装置（データロガー）に水圧又は流量の測定データＡとして記録される。
デジタル式記録装置（データロガー）に記録された水圧又は流量の測定データＡは、データ量が大量で扱い難く、測定期間が測定地点毎に異なっていることが多い。
【００１２】
そこで、時系列表示用データ作成手段２において、図２に示すように、水圧又は流量の測定データＡを加工し、多地点間で比較できるようにするために、抽出期間を一致させるとともに、測定データを圧縮して、時系列表示用データＢを作成する。
時系列表示用データＢの作成手順は、次の通りである。
【００１３】
▲１▼  抽出期間を一致させる
各測定地点における水圧又は流量の測定データＡは、測定期間が測定地点毎に異なっているため、抽出期間を一致させて、多地点間で比較できるようにする。
測定期間から適宜期間を抽出する方法として、日付時間指定、曜日指定、１週間抽出、２４時間抽出を選択できるようにしてある。
【００１４】
日付時間指定とは、図３に示すように、測定データＡの抽出期間を日付と時間で指定する方法である。
これによって、Ｐ１，Ｐ２，Ｐ３の各地点に関して、日付時間が同一の測定データＡが抽出される。
【００１５】
曜日指定とは、図４に示すように、測定データＡの抽出期間を曜日で指定し、その曜日の２４時間分の測定データＡを抽出する方法である。
これによって、Ｐ１，Ｐ２，Ｐ３の各地点に関して、曜日が同一の２４時間分の測定データＡが抽出される。
【００１６】
１週間抽出とは、図５に示すように、例えば月曜日から日曜日までという１週間分の測定データＡを抽出する方法である。
これによって、Ｐ１，Ｐ２，Ｐ３の各地点に関して、曜日が対応した１週間分の測定データＡが抽出される。
【００１７】
２４時間抽出とは、図６に示すように、例えば０時から２４時までという２４時間分の測定データＡを抽出する方法である。
これによって、Ｐ１，Ｐ２，Ｐ３の各地点に関して、時間が対応した２４時間分の測定データＡが抽出される。
【００１８】
▲２▼  測定データを圧縮する。
抽出期間において抽出された測定データＡを、さらに、図２に示すように、指定した時間間隔で区分し、その時間間隔内における平均値、最大値、最小値等を算出して、測定データＡを圧縮する。
最大値、最小値については、実測値又は移動平均値（測定時刻の前後に連続する測定値の任意数での平均値）に基づいて算出する。移動平均値に基づく場合には、測定データＡにおける特異値を除去することができる。
【００１９】
以上のように、測定データＡを抽出し、圧縮することによって、時系列表示用データＢを作成する。そして、この時系列表示用データＢは時系列表示用データベース３に格納される。
【００２０】
水圧及び流量データ表示手段４は、時系列表示用データベース３から任意の時間の時系列表示用データＢを取得し、図７に示すように、地理情報システム（ＧＩＳ）によって時系列表示用データＢを地図上に表示する。
水圧及び流量データ表示手段４は、次のような機能を有している。
【００２１】
各水圧測定地点において、水圧データ値が色彩を付された丸印によって表示されるようになっている。付される色彩は、水圧データ値を所定範囲毎に区分し、その区分に適宜色彩を対応させてある。
これによって、水道施設の水圧状況を地図上において多様に表現することができるとともに、各地点間の違いを視覚的に容易に把握することができる。
【００２２】
水圧データ値と同期して、各流量測定地点における流量グラフが表示されるようになっている。流量グラフには、表示期間内における最大値、最小値、表示時間における流量データ値が表示されるようになっている。
これによって、水道施設の流量状況を時系列的に確認することができるとともに、各地点間の違いを視覚的に容易に把握することができる。
【００２３】
水圧及び流量データ表示手段４は、又、図８に示すように、ディスプレイ上に設定・変更用画面５を表示するようになっている。
設定・変更用ウインドウ５には、ディスプレイ上に表示されている水圧、流量データの抽出時間が“表示時間”として年、月、日、時間で表示され、スライダー６によって設定できる時間間隔、測定データＡの圧縮方法も表示されている。
表示したい時間は、スライダー６を移動させて、対応する時間に位置させることによって設定することができる。
【００２４】
設定・変更用画面５において、“凡例設定”ボタンをクリックすれば、図８に示すように、凡例設定画面７が表示される。
凡例設定画面７では、地図上に表示される水圧データ値の印の形状、付される色彩の種類と範囲を設定することができる。
【００２５】
設定・変更用画面５において、“時間設定”ボタンをクリックすれば、図８に示すように、時間指定画面８が表示される。
時間指定画面８では、地図上に表示したい圧縮データファイル、表示データの開始日時、終了日時、抽出間隔を設定することができる。
【００２６】
本発明の水圧及び流量データ表示システムによれば、広域水道施設等に見られる地区特性による水圧又は流量の変動の時間的傾向等を容易に把握することができる。又、同時に、広範囲における多数測定地点の比較が可能となるため、低水圧、少流量、水圧又は流量の変動幅が大きい地点についての要因分析を効果的に行うことができ、適正な管路口径等の判断が容易となり、今後の効果的な水運用に必要となる管路網の再整備に有効である。
【図面の簡単な説明】
【図１】本発明の水圧及び流量データ表示システムの構成概念図である。
【図２】時系列表示用データの作成手順を示す説明図である。
【図３】日付時間指定によるデータ抽出方法を示す説明図である。
【図４】曜日指定によるデータ抽出方法を示す説明図である。
【図５】１週間抽出によるデータ抽出方法を示す説明図である。
【図６】２４時間抽出によるデータ抽出方法を示す説明図である。
【図７】水圧及び流量データ表示手段によって、時系列表示用データを地図上に表示した状態を示す説明図である。
【図８】設定・変更用画面、凡例設定画面及び時間指定画面を示す説明図である。
【符号の説明】
１  水圧及び流量データ表示システム
２  時系列表示用データ作成手段
３  時系列表示用データベース
４  水圧及び流量データ表示手段
Ａ  測定データ
Ｂ  時系列表示用データ
【図１】
2004245611.tif 000003
【図２】
2004245611.tif 000004
【図３】
2004245611.tif 000005
【図４】
2004245611.tif 000006
【図５】
2004245611.tif 000007
【図６】
2004245611.tif 000008
【図７】
2004245611.tif 000009
【図８】
2004245611.tif 000010